(57)【要約】      （修正有）【課題】第１電極タブと第２電極タブの非重畳部分を除去する過程がなくても第１電極タブと第２電極タブを各々所望の位置に積層できる二次電池の電極組立体の提供。【解決手段】第１電極板及び第２電極板が順次に積層され、前記第１電極板と前記第２電極板との間に第１分離膜が挟まれて巻き取られる二次電池の電極組立体において、前記第１電極板は、第１電極タブが形成される一面と第１電極タブが形成されない他面とで構成され、前記第２電極板は、第２電極タブが形成される一面と第２電極タブが形成されない他面とで構成され、前記第１電極板及び第２電極板は、前記一面と前記他面との間に巻き取り時ごとにその幅が一定間隔ほど増加される積層面をさらに含む二次電池の電極組立体。【選択図】図１
2014203830.tif 000002
【特許請求の範囲】
【請求項１】
第１電極板及び第２電極板が順次に積層され、前記第１電極板と前記第２電極板との間に第１分離膜が挟まれて巻き取られる二次電池の電極組立体において、
前記第１電極板は、第１電極タブが形成される一面と第１電極タブが形成されない他面とで構成され、
前記第２電極板は、第２電極タブが形成される一面と第２電極タブが形成されない他面とで構成され、
前記第１電極板及び第２電極板は、前記一面と前記他面との間に巻き取り時ごとにその幅が一定間隔ほど増加される積層面をさらに含むことを特徴とする二次電池の電極組立体。
【請求項２】
前記第１電極タブと前記第２電極タブとは、同一な面上に一定間隔で離隔されるように配置される請求項１に記載の二次電池の電極組立体。
【請求項３】
前記第１電極タブと前記第２電極タブとは、互いに異なる面上に一定間隔で離隔されるように配置される請求項１に記載の二次電池の電極組立体。
【請求項４】
前記第１電極タブと前記第２電極タブとは、同一な面上で反対方向に一定間隔で離隔されるように配置される請求項１に記載の二次電池の電極組立体。
【請求項５】
前記第１電極タブと前記第２電極タブとは、互いに異なる面上で反対方向に一定間で隔離隔されるように配置される請求項１に記載の二次電池の電極組立体。
【請求項６】
前記第１電極板における前記第１電極タブが形成される開始位置（Ｘ）は、下記数式１により決定され、
前記第２電極板における前記第２電極タブが形成される開始位置（Ｙ）は、下記数式２により決定される請求項１、請求項２及び請求項４のうちいずれか１項に記載の二次電池の電極組立体。
（数式１）Ｘ＝ｎｗ＋ｎｔ＋ｄ、ｎ＝０〜ｎ
（数式２）Ｙ＝ｍｗ＋ｍｔ＋（ｗ−Ｗ２−ｄ′）、ｍ＝０〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時に形成される最初の積層面の開始位置から最初の第２電極タブが形成される最後の位置までの距離
Ｗ２：第２電極タブの幅
ｎ、ｍ：巻き取り回数
【請求項７】
前記第１電極板における前記第１電極タブが形成される開始位置（Ｘ）は、下記数式３により決定され、
前記第２電極板における前記第２電極タブが形成される開始位置（Ｙ）は、下記数式４により決定される請求項１、請求項２及び請求項４のうちいずれか１項に記載の二次電池の電極組立体。
（数式３）Ｘ＝ｆｌｏｏｒ（［ｎｗ＋ｎｔ＋ｄ］／ｋ）、ｎ＝０〜ｎ
（数式４）Ｙ＝ｆｌｏｏｒ（［ｍｗ＋ｍｔ＋（ｗ−Ｗ２−ｄ′）］／ｋ）、ｍ＝０〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｆｌｏｏｒ（ｘ）：ｘより大きくない最大の整数
【請求項８】
前記第１電極板における前記第１電極タブが形成される開始位置（Ｘ）は、下記数式５により決定され、
前記第２電極板における前記第２電極タブが形成される開始位置（Ｙ）は、下記数式６により決定される請求項１、請求項２及び請求項４のうちいずれか１項に記載の二次電池の電極組立体。
（数式５）Ｘ＝ｃｅｉｌ（［ｎｗ＋ｎｔ＋ｄ］／ｋ）、ｎ＝０〜ｎ
（数式６）Ｙ＝ｃｅｉｌ（［ｍｗ＋ｍｔ＋（ｗ−Ｗ２−ｄ′）］／ｋ）、ｍ＝０〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｃｅｉｌ（ｘ）：ｘより小さくない最小の整数
【請求項９】
前記第１電極板における前記第１電極タブが形成される開始位置（Ｘ）は、下記数式７により決定され、
前記第２電極板における前記第２電極タブが形成される開始位置（Ｙ）は、下記数式８により決定される請求項１、請求項２及び請求項４のうちいずれか１項に記載の二次電池の電極組立体。
（数式７）Ｘ＝ｆｌｏｏｒ（［ｎｗ＋ｎｔ＋ｄ］／ｋ）、ｎ＝ｎ〜０
（数式８）Ｙ＝ｆｌｏｏｒ（［ｍｗ＋ｍｔ＋（ｗ−Ｗ２−ｄ′）］／ｋ）、ｍ＝ｍ〜０
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｆｌｏｏｒ（ｘ）：ｘより大きくない最大の整数
【請求項１０】
前記第１電極板における前記第１電極タブが形成される開始位置（Ｘ）は、下記数式９により決定され、
前記第２電極板における前記第２電極タブが形成される開始位置（Ｙ）は、下記数式１０により決定される請求項１、請求項２及び請求項４のうちいずれか１項に記載の二次電池の電極組立体。
（数式９）Ｘ＝ｃｅｉｌ（［ｎｗ＋ｎｔ＋ｄ］／ｋ）、ｎ＝ｎ〜０
（数式１０）Ｙ＝ｃｅｉｌ（［ｍｗ＋ｍｔ＋（ｗ−Ｗ２−ｄ′）］／ｋ）、ｍ＝ｍ〜０
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｃｅｉｌ（ｘ）：ｘより小さくない最小の整数
【請求項１１】
前記第１電極板における前記第１電極タブが形成される開始位置（Ｘ）は、下記数式１１により決定され、
前記第２電極板における前記第２電極タブが形成される開始位置（Ｙ）は、下記数式１２により決定される請求項１、請求項３及び請求項５のうちいずれか１項に記載の二次電池の電極組立体。
（数式１１）Ｘ＝ｎｗ＋ｎｔ＋ｄ、ｎ＝０〜ｎ
（数式１２）Ｙ＝ｍｗ＋ｍｔ＋（ｗ−Ｗ２−ｄ′）、ｍ＝１〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
【請求項１２】
前記第１電極板における前記第１電極タブが形成される開始位置（Ｘ）は、下記数式１３により決定され、
前記第２電極板における前記第２電極タブが形成される開始位置（Ｙ）は、下記数式１４により決定される請求項１、請求項３及び請求項５のうちいずれか１項に記載の二次電池の電極組立体。
（数式１３）Ｘ＝ｆｌｏｏｒ（［ｎｗ＋ｎｔ＋ｄ］／ｋ）、ｎ＝０〜ｎ
（数式１４）Ｙ＝ｆｌｏｏｒ（［ｍｗ＋ｍｔ＋（ｗ−Ｗ２−ｄ′）］／ｋ）、ｍ＝１〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｆｌｏｏｒ（ｘ）：ｘより大きくない最大の整数
【請求項１３】
前記第１電極板における前記第１電極タブが形成される開始位置（Ｘ）は、下記数式１５により決定され、
前記第２電極板における前記第２電極タブが形成される開始位置（Ｙ）は、下記数式１６により決定される請求項１、請求項３及び請求項５のうちいずれか１項に記載の二次電池の電極組立体。
（数式１５）Ｘ＝ｃｅｉｌ（［ｎｗ＋ｎｔ＋ｄ］／ｋ）、ｎ＝０〜ｎ
（数式１６）Ｙ＝ｃｅｉｌ（［ｍｗ＋ｍｔ＋（ｗ−Ｗ２−ｄ′）］／ｋ）、ｍ＝１〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｃｅｉｌ（ｘ）：ｘより小さくない最小の整数
【請求項１４】
前記第１電極板における前記第１電極タブが形成される開始位置（Ｘ）は、下記数式１７により決定され、
前記第２電極板における前記第２電極タブが形成される開始位置（Ｙ）は、下記数式１８により決定される請求項１、請求項３及び請求項５のうちいずれか１項に記載の二次電池の電極組立体。
（数式１７）Ｘ＝ｆｌｏｏｒ（［ｎｗ＋ｎｔ＋ｄ］／ｋ）、ｎ＝ｎ〜０
（数式１８）Ｙ＝ｆｌｏｏｒ（［ｍｗ＋ｍｔ＋（ｗ−Ｗ２−ｄ′）］／ｋ）、ｍ＝ｍ〜１
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｆｌｏｏｒ（ｘ）：ｘより大きくない最大の整数
【請求項１５】
前記第１電極板における前記第１電極タブが形成される開始位置（Ｘ）は、下記数式１９により決定され、
前記第２電極板における前記第２電極タブが形成される開始位置（Ｙ）は、下記数式２０により決定される請求項１、請求項３及び請求項５のうちいずれか１項に記載の二次電池の電極組立体。
（数式１９）Ｘ＝ｃｅｉｌ（［ｎｗ＋ｎｔ＋ｄ］／ｋ）、ｎ＝ｎ〜０
（数式２０）Ｙ＝ｃｅｉｌ（［ｍｗ＋ｍｔ＋（ｗ−Ｗ２−ｄ′）］／ｋ）、ｍ＝ｍ〜１
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｃｅｉｌ（ｘ）：ｘより小さくない最小の整数
【発明の詳細な説明】
【技術分野】
【０００１】
本発明は、充電及び放電が可能な二次電池の電極組立体に関する。
【背景技術】
【０００２】
１次電池とは違って、充電及び放電が可能な二次電池は、デジタルカメラ、携帯電話、ノートパソコン、ハイブリッド自動車など、尖端分野の開発につれて活発な研究が進行中である。二次電池として、ニッケル−カドミウム電池、ニッケル−メタルハイドライド電池、ニッケル−水素電池、リチウム二次電池などがある。
【０００３】
このような二次電池の電極組立体を製作する方式は、大きく二つに分けられる。小型二次電池の場合、正極板及び負極板を分離膜上に配置し、これを巻いて（ｗｉｎｄｉｎｇ）ジェリーロール（ｊｅｌｌｙ−ｒｏｌｌ）形態で製作する方式が多く使われている。
【０００４】
一方、最近は高容量の電流を充電及び放電するために、正極板と負極板が複数の電極板を備える場合が多い。しかし、電極組立体は、正極板、負極板及びセパレーターを巻き取って形成するため、多数の正極タブと多数の負極タブを所望の位置に各々重ねることが容易でない問題点があった。
【０００５】
このような問題点を解決するために、特許文献１の二次電池用電極組立体の製造方法は、第１活物質がコーティングされた第１活物質部及び前記第１活物質部の一側に互いに離隔された状態で配置された複数の第１無地部を備える第１電極板を準備する段階と、第２活物質がコーティングされた第２活物質部及び前記第２活物質部の一側に互いに離隔された状態で配置された複数の第２無地部を備える第２電極板を準備する段階と、セパレーターを準備する段階と、前記セパレーターを前記第１電極板と前記第２電極板との間に介在したままで巻き取る段階と、前記第１無地部の非重畳部分及び前記第２無地部の非重畳部分を除去することによって、前記第１電極板に対応する第１電極タブ群及び前記第２電極板に対応する第２電極タブ群を形成する段階と、を含む二次電池用電極組立体の製造方法を提示している。
【先行技術文献】
【特許文献】
【０００６】
【特許文献１】米国特許出願公開第２０１１／００６７２２７号明細書
【発明の概要】
【発明が解決しようとする課題】
【０００７】
しかし、従来技術は、前記第１無地部の非重畳部分及び第２無地部の非重畳部分を除去する過程で前記除去された物質が前記第１電極板、セパレーター、及び第２電極板間に各々乱入されるおそれがあるという問題点がある。
【０００８】
したがって、前述した問題点を解決するための多様な二次電池の電極組立体の開発が必要な状況である。
【０００９】
本発明は、前記問題点を解決するために案出されたものであって、第１電極タブと第２電極タブの非重畳部分を除去する過程がなくても第１電極タブと第２電極タブを各々所望の位置に積層できる二次電池の電極組立体を提供するためのものである。
【課題を解決するための手段】
【００１０】
本発明による二次電池の電極組立体は、第１電極板及び第２電極板が順次に積層され、前記第１電極板と前記第２電極板との間に第１分離膜が挟まれて巻き取られる二次電池の電極組立体において、前記第１電極板は、第１電極タブが形成される一面と第１電極タブが形成されない他面とで構成され、前記第２電極板は、第２電極タブが形成される一面と第２電極タブが形成されない他面とで構成され、前記第１電極板及び第２電極板は、前記一面と前記他面との間に巻き取り時ごとにその幅が一定間隔ほど増加される積層面をさらに含むことを特徴とする。
【００１１】
また、前記第１電極タブと前記第２電極タブとは、同一な面上に一定間隔で離隔されるように配置してもよい。
【００１２】
また、前記第１電極タブと前記第２電極タブとは、互いに異なる面上に一定間隔で離隔されるように配置してもよい。
【００１３】
また、前記第１電極タブと前記第２電極タブとは、同一な面上で反対方向に一定間隔で離隔されるように配置してもよい。
【００１４】
また、前記第１電極タブと前記第２電極タブとは、互いに異なる面上で反対方向に一定間隔で離隔されるように配置してもよい。
【００１５】
また、前記第１電極板における前記第１電極タブが形成される開始位置（Ｘ）は、下記数式１により決定され、前記第２電極板における前記第２電極タブが形成される開始位置（Ｙ）は、下記数式２により決定されてもよい。
（数式１）Ｘ＝ｎｗ＋ｎｔ＋ｄ、ｎ＝０〜ｎ
（数式２）Ｙ＝ｍｗ＋ｍｔ＋（ｗ−Ｗ２−ｄ′）、ｍ＝０〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時に形成される最初の積層面の開始位置から最初の第２電極タブが形成される最後の位置までの距離
Ｗ２：第２電極タブの幅
ｎ、ｍ：巻き取り回数
【００１６】
また、前記第１電極板における前記第１電極タブが形成される開始位置（Ｘ）は、下記数式３により決定され、前記第２電極板における前記第２電極タブが形成される開始位置（Ｙ）は、下記数式４により決定されてもよい。
（数式３）Ｘ＝ｆｌｏｏｒ（［ｎｗ＋ｎｔ＋ｄ］／ｋ）、ｎ＝０〜ｎ
（数式４）Ｙ＝ｆｌｏｏｒ（［ｍｗ＋ｍｔ＋（ｗ−Ｗ２−ｄ′）］／ｋ）、ｍ＝０〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｆｌｏｏｒ（ｘ）：ｘより大きくない最大の整数
【００１７】
また、前記第１電極板における前記第１電極タブが形成される開始位置（Ｘ）は、下記数式５により決定され、前記第２電極板における前記第２電極タブが形成される開始位置（Ｙ）は、下記数式６により決定されてもよい。
（数式５）Ｘ＝ｃｅｉｌ（［ｎｗ＋ｎｔ＋ｄ］／ｋ）、ｎ＝０〜ｎ
（数式６）Ｙ＝ｃｅｉｌ（［ｍｗ＋ｍｔ＋（ｗ−Ｗ２−ｄ′）］／ｋ）、ｍ＝０〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｃｅｉｌ（ｘ）：ｘより小さくない最小の整数
【００１８】
また、前記第１電極板における前記第１電極タブが形成される開始位置（Ｘ）は、下記数式７により決定され、前記第２電極板における前記第２電極タブが形成される開始位置（Ｙ）は、下記数式８により決定されてもよい。
（数式７）Ｘ＝ｆｌｏｏｒ（［ｎｗ＋ｎｔ＋ｄ］／ｋ）、ｎ＝ｎ〜０
（数式８）Ｙ＝ｆｌｏｏｒ（［ｍｗ＋ｍｔ＋（ｗ−Ｗ２−ｄ′）］／ｋ）、ｍ＝ｍ〜０
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｆｌｏｏｒ（ｘ）：ｘより大きくない最大の整数
【００１９】
また、前記第１電極板における前記第１電極タブが形成される開始位置（Ｘ）は、下記数式９により決定され、前記第２電極板における前記第２電極タブが形成される開始位置（Ｙ）は、下記数式１０により決定されてもよい。
（数式９）Ｘ＝ｃｅｉｌ（［ｎｗ＋ｎｔ＋ｄ］／ｋ）、ｎ＝ｎ〜０
（数式１０）Ｙ＝ｃｅｉｌ（［ｍｗ＋ｍｔ＋（ｗ−Ｗ２−ｄ′）］／ｋ）、ｍ＝ｍ〜０
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｃｅｉｌ（ｘ）：ｘより小さくない最小の整数
【００２０】
また、前記第１電極板における前記第１電極タブが形成される開始位置（Ｘ）は、下記数式１１により決定され、前記第２電極板における前記第２電極タブが形成される開始位置（Ｙ）は、下記数式１２により決定されてもよい。
（数式１１）Ｘ＝ｎｗ＋ｎｔ＋ｄ、ｎ＝０〜ｎ
（数式１２）Ｙ＝ｍｗ＋ｍｔ＋（ｗ−Ｗ２−ｄ′）、ｍ＝１〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
【００２１】
また、前記第１電極板における前記第１電極タブが形成される開始位置（Ｘ）は、下記数式１３により決定され、前記第２電極板における前記第２電極タブが形成される開始位置（Ｙ）は、下記数式１４により決定されてもよい。
（数式１３）Ｘ＝ｆｌｏｏｒ（［ｎｗ＋ｎｔ＋ｄ］／ｋ）、ｎ＝０〜ｎ
（数式１４）Ｙ＝ｆｌｏｏｒ（［ｍｗ＋ｍｔ＋（ｗ−Ｗ２−ｄ′）］／ｋ）、ｍ＝１〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｆｌｏｏｒ（ｘ）：ｘより大きくない最大の整数
【００２２】
また、前記第１電極板における前記第１電極タブが形成される開始位置（Ｘ）は、下記数式１５により決定され、前記第２電極板における前記第２電極タブが形成される開始位置（Ｙ）は、下記数式１６により決定されてもよい。
（数式１５）Ｘ＝ｃｅｉｌ（［ｎｗ＋ｎｔ＋ｄ］／ｋ）、ｎ＝０〜ｎ
（数式１６）Ｙ＝ｃｅｉｌ（［ｍｗ＋ｍｔ＋（ｗ−Ｗ２−ｄ′）］／ｋ）、ｍ＝１〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｃｅｉｌ（ｘ）：ｘより小さくない最小の整数
【００２３】
また、前記第１電極板における前記第１電極タブが形成される開始位置（Ｘ）は、下記数式１７により決定され、前記第２電極板における前記第２電極タブが形成される開始位置（Ｙ）は、下記数式１８により決定されてもよい。
（数式１７）Ｘ＝ｆｌｏｏｒ（［ｎｗ＋ｎｔ＋ｄ］／ｋ）、ｎ＝ｎ〜０
（数式１８）Ｙ＝ｆｌｏｏｒ（［ｍｗ＋ｍｔ＋（ｗ−Ｗ２−ｄ′）］／ｋ）、ｍ＝ｍ〜１
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｆｌｏｏｒ（ｘ）：ｘより大きくない最大の整数
【００２４】
また、前記第１電極板における前記第１電極タブが形成される開始位置（Ｘ）は、下記数式１９により決定され、前記第２電極板における前記第２電極タブが形成される開始位置（Ｙ）は、下記数式２０により決定されてもよい。
（数式１９）Ｘ＝ｃｅｉｌ（［ｎｗ＋ｎｔ＋ｄ］／ｋ）、ｎ＝ｎ〜０
（数式２０）Ｙ＝ｃｅｉｌ（［ｍｗ＋ｍｔ＋（ｗ−Ｗ２−ｄ′）］／ｋ）、ｍ＝ｍ〜１
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｃｅｉｌ（ｘ）：ｘより小さくない最小の整数
【発明の効果】
【００２５】
上記のような構成によって、本発明による二次電池の電極組立体は、第１電極タブ及び第２電極タブを各々所望の位置に容易に積層できる効果がある。
【図面の簡単な説明】
【００２６】
【図１】本発明の実施例１による二次電池の電極組立体を示す側面図である。
【図２】本発明の実施例２による二次電池の電極組立体を示す側面図である。
【図３】本発明の実施例３による二次電池の電極組立体を示す側面図である。
【図４】本発明の実施例４による二次電池の電極組立体を示す側面図である。
【発明を実施するための形態】
【００２７】
以下、本発明の技術的思想を添付図面を使用してさらに具体的に説明する。
【００２８】
添付図面は、本発明の技術的思想をさらに具体的に説明するために示す一例に過ぎないため、本発明の技術的思想が添付図面の形態に限定されるものではない。
【００２９】
本発明の実施例による二次電池の電極組立体は、第１電極板及び第２電極板が順次に積層され、第１電極板と第２電極板との間に第１分離膜が介在されて巻き取られる。
【００３０】
第１電極板は、多数の第１電極タブが形成される一面と第１電極タブが形成されない他面とで構成される。
【００３１】
第２電極板は、多数の第２電極タブが形成される一面と第２電極タブが形成されない他面とで構成される。
【００３２】
このとき、二次電池の電極組立体は、巻き取り時ごとにその幅が一定間隔ほど増加される積層面をさらに含んで構成される。
【００３３】
さらに詳細に、二次電池の電極組立体は、１回巻き取り時、第１面、積層面、第２面の順で積層され、２回巻き取り時、第１面、積層面、第２面、積層面、第３面の順で積層され、３回巻き取り時、第１面、積層面、第２面、積層面、第３面、積層面、第４面の順で積層され、４回巻き取り時、第１面、積層面、第２面、積層面、第３面、積層面、第４面、積層面、第５面の順で積層され、以下同様に、巻き取り回数の増加に従い、積層される面を増加させて積層される。
【００３４】
<実施例１>
【００３５】
本発明の実施例１による二次電池の電極組立体において、第１電極タブと第２電極タブとは、互いに同一な面上に一定間隔離隔されるように配置することができ、より詳しくは、第１電極タブと第２電極タブは、第１面の一側、第３面の一側、第５面の一側、・・・というように、互いに一定間隔で離隔されるように配置することができる。
【００３６】
このとき、第１電極板における第１電極タブが形成される開始位置（Ｘ）は、下記数式１により決定することができ、第２電極板における第２電極タブが形成される開始位置（Ｙ）は、下記数式２により決定することができる。
（数式１）Ｘ＝ｎｗ＋ｎｔ＋ｄ、ｎ＝０〜ｎ
（数式２）Ｙ＝ｍｗ＋ｍｔ＋（ｗ−Ｗ２−ｄ′）、ｍ＝０〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時に形成される最初の積層面の開始位置から最初の第２電極タブが形成される最後の位置までの距離
Ｗ２：第２電極タブの幅
ｎ、ｍ：巻き取り回数
【００３７】
このとき、ｗは、二次電池の電極組立体が一定間隔に巻き取られる巻き取り方向幅を意味し、ｔは、第１電極板の開始位置から最初の第１電極タブが形成される開始位置までの巻き取り方向距離を意味し、ｄ′は、二次電池の電極組立体を最初に巻き取る時に形成される最初の積層面の開始位置から最初の第２電極タブが形成される最後の位置までの巻き取り方向距離を意味し、Ｗ２は、第２電極タブの巻き取り方向幅を意味し、ｎは、第１電極板が巻き取られた回数を意味し、ｍは、第２電極板が巻き取られた回数を意味する。
【００３８】
数式１及び数式２に基づいて巻き取られた二次電池の電極組立体１００は、長さ方向の一側から巻き取られ、図１に示すように、一面の下側に第１電極タブ１１０と第２電極タブ１２０が各々重なる構造に巻き取られる。
【００３９】
ただし、数式１及び数式２に基づいて巻き取られた二次電池の電極組立体は、ＸとＹの値が両方とも小数点以下の数値（１未満の数値）に減少することがある。
【００４０】
また、第１電極板における第１電極タブが形成される開始位置（Ｘ）は、第１電極板で下記数式３により決定することができ、第２電極板における第２電極タブが形成される開始位置（Ｙ）は、下記数式４により決定することができる。
（数式３）Ｘ＝ｆｌｏｏｒ（［ｎｗ＋ｎｔ＋ｄ］／ｋ）、ｎ＝０〜ｎ
（数式４）Ｙ＝ｆｌｏｏｒ（［ｍｗ＋ｍｔ＋（ｗ−Ｗ２−ｄ′）］／ｋ）、ｍ＝０〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｆｌｏｏｒ（ｘ）：ｘより大きくない最大の整数
【００４１】
数式３及び数式４に基づいて巻き取られた二次電池の電極組立体１００も長さ方向の一側から巻き取られ、図１に示すように、一面の下側に第１電極タブ１１０と第２電極タブ１２０が各々重なる構造に巻き取られる。
【００４２】
このとき、数式３及び数式４に基づいて巻き取られた二次電池の電極組立体は、ＸとＹの値が両方とも整数であるため、寸法を合わせることが容易である。
【００４３】
また、第１電極板における第１電極タブが形成される開始位置（Ｘ）は、下記数式５により決定することができ、第２電極板における第２電極タブが形成される開始位置（Ｙ）は、下記数式６により決定することができる。
（数式５）Ｘ＝ｃｅｉｌ（［ｎｗ＋ｎｔ＋ｄ］／ｋ）、ｎ＝０〜ｎ
（数式６）Ｙ＝ｃｅｉｌ（［ｍｗ＋ｍｔ＋（ｗ−Ｗ２−ｄ′）］／ｋ）、ｍ＝０〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｃｅｉｌ（ｘ）：ｘより小さくない最小の整数
【００４４】
数式５及び数式６に基づいて巻き取られた二次電池の電極組立体１００も長さ方向の一側から巻き取られ、図１に示すように、一面の下側に第１電極タブ１１０と第２電極タブ１２０が各々重なる構造に巻き取られる。
【００４５】
このとき、数式５及び数式６に基づいて巻き取られた二次電池の電極組立体は、ＸとＹの値が両方とも整数であるため、寸法を合わせることが容易である。
【００４６】
また、第１電極板における第１電極タブが形成される開始位置（Ｘ）は、下記数式７により決定することができ、第２電極板における第２電極タブが形成される開始位置（Ｙ）は、下記数式８により決定することができる。
（数式７）Ｘ＝ｆｌｏｏｒ（［ｎｗ＋ｎｔ＋ｄ］／ｋ）、ｎ＝ｎ〜０
（数式８）Ｙ＝ｆｌｏｏｒ（［ｍｗ＋ｍｔ＋（ｗ−Ｗ２−ｄ′）］／ｋ）、ｍ＝ｍ〜０
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の  第２電極タブが形成される最後の位置までの距離
Ｗ２：第２電極タブの幅
ｎ、ｍ：巻き取り回数
ｋ＝２〜５の整数
ｆｌｏｏｒ（ｘ）：ｘより大きくない最大の整数
【００４７】
数式７及び数式８に基づいて巻き取られた二次電池の電極組立体１００は、長さ方向の他側から巻き取られ、図１に示すように、一面の下側に第１電極タブ１１０と第２電極タブ１２０が各々重なる構造に巻き取られる。
【００４８】
このとき、数式７及び数式８に基づいて巻き取られた二次電池の電極組立体は、ＸとＹの値が両方とも整数であるため、寸法を合わせることが容易である。
【００４９】
また、第１電極板における第１電極タブが形成される開始位置（Ｘ）は、下記数式９により決定することができ、第２電極板における第２電極タブが形成される開始位置（Ｙ）は、下記数式１０により決定することができる。
（数式９）Ｘ＝ｃｅｉｌ（［ｎｗ＋ｎｔ＋ｄ］／ｋ）、ｎ＝ｎ〜０
（数式１０）Ｙ＝ｃｅｉｌ（［ｍｗ＋ｍｔ＋（ｗ−Ｗ２−ｄ′）］／ｋ）、ｍ＝ｍ〜０
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｃｅｉｌ（ｘ）：ｘより小さくない最小の整数
【００５０】
数式９及び数式１０に基づいて巻き取られた二次電池の電極組立体１００は、長さ方向の他側から巻き取られ、図１に示すように、一面の下側に第１電極タブ１１０と第２電極タブ１２０が各々重なる構造に巻き取られる。
【００５１】
このとき、数式９及び数式１０に基づいて巻き取られた二次電池の電極組立体は、ＸとＹの値が両方とも整数であるため、寸法を合わせることが容易である。
【００５２】
<実施例２>
【００５３】
本発明の実施例２による二次電池の電極組立体において、第１電極タブと第２電極タブとは、同一な面上で反対方向に一定間隔で離隔されるように配置することができ、より詳しくは、第１電極タブは、第１面の一側、第２面の一側、第３面の一側、・・・というように配置し、第２電極タブは、第１電極タブと各々離隔されて第１面の他側、第２面の他側、第３面の他側、・・・というように配置することができる。
【００５４】
このとき、数式１及び数式２に基づいて巻き取られた二次電池の電極組立体１００は、長さ方向の一側から巻き取られ、図２に示すように、一面の下側に第１電極タブ１１０が互いに重なり、他面の下側に第２電極タブ１２０が互いに重なる構造に巻き取られる。
【００５５】
ただし、数式１及び数式２に基づいて巻き取られた二次電池の電極組立体は、ＸとＹの値が両方とも小数点以下の数値（１未満の数値）に減少することがある。
【００５６】
また、数式３及び数式４に基づいて巻き取られた二次電池の電極組立体１００は、長さ方向の一側から巻き取られ、図２に示すように、一面の下側に第１電極タブ１１０が互いに重なり、他面の下側に第２電極タブ１２０が互いに重なる構造に巻き取られる。
【００５７】
また、数式５及び数式６に基づいて巻き取られた二次電池の電極組立体１００は、長さ方向の一側から巻き取られ、図２に示すように、一面の下側に第１電極タブ１１０が互いに重なり、他面の下側に第２電極タブ１２０が互いに重なる構造に巻き取られる。
【００５８】
また、数式７及び数式８に基づいて巻き取られた二次電池の電極組立体１００は、長さ方向の他側から巻き取られ、図２に示すように、一面の下側に第１電極タブ１１０が互いに重なり、他面の下側に第２電極タブ１２０が互いに重なる構造に巻き取られる。
【００５９】
また、数式９及び数式１０に基づいて巻き取られた二次電池の電極組立体１００は、長さ方向の他側から巻き取られ、図２に示すように、一面の下側に第１電極タブ１１０が互いに重なり、他面の下側に第２電極タブ１２０が互いに重なる構造に巻き取られる。
【００６０】
このとき、数式３及び数式４、数式５及び数式６、数式７及び数式８、または数式９及び数式１０に基づいて巻き取られた二次電池の電極組立体は、いずれもＸとＹの値が両方とも整数であるため、寸法を合わせることが容易である。
【００６１】
<実施例３>
【００６２】
本発明の実施例２による二次電池の電極組立体において、第１電極タブと第２電極タブとは、互いに異なる面上で一定間隔で離隔されるように配置することができ、第１電極タブは、第１面の一側、第３面の一側、第５面の一側、・・・というように配置し、第２電極タブは、第２面の一側、第４面の一側、・・・というように配置することができる。
【００６３】
このとき、第１電極板における第１電極タブが形成される開始位置（Ｘ）は、下記数式１１により決定することができ、第２電極板における第２電極タブが形成される開始位置（Ｙ）は、下記数式１２により決定することができる。
（数式１１）Ｘ＝ｎｗ＋ｎｔ＋ｄ、ｎ＝０〜ｎ
（数式１２）Ｙ＝ｍｗ＋ｍｔ＋（ｗ−Ｗ２−ｄ′）、ｍ＝１〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
【００６４】
数式１１及び数式１２に基づいて巻き取られた二次電池の電極組立体１００は、長さ方向の一側から巻き取られ、図３に示すように、一面の下側に第１電極タブ１１０が互いに重なり、一面の上側に第２電極タブ１２０が互いに重なる構造に巻き取られる。
【００６５】
ただし、数式１１及び数式１２に基づいて巻き取られた二次電池の電極組立体は、ＸとＹの値が両方とも小数点以下の数値（１未満の数値）に減少することがある。
【００６６】
また、第１電極板における第１電極タブが形成される開始位置（Ｘ）は、下記数式１３により決定することができ、第２電極板における第２電極タブが形成される開始位置（Ｙ）は、下記数式１４により決定することができる。
（数式１３）Ｘ＝ｆｌｏｏｒ（［ｎｗ＋ｎｔ＋ｄ］／ｋ）、ｎ＝０〜ｎ
（数式１４）Ｙ＝ｆｌｏｏｒ（［ｍｗ＋ｍｔ＋（ｗ−Ｗ２−ｄ′）］／ｋ）、ｍ＝１〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｆｌｏｏｒ（ｘ）：ｘより大きくない最大の整数
【００６７】
数式１３及び数式１４に基づいて巻き取られた二次電池の電極組立体１００は、長さ方向の一側から巻き取られ、図３に示すように、一面の下側に第１電極タブ１１０が互いに重なり、一面の上側に第２電極タブ１２０が互いに重なる構造に巻き取られる。
【００６８】
また、第１電極板における第１電極タブが形成される開始位置（Ｘ）は、下記数式１５により決定することができ、第２電極板における第２電極タブが形成される開始位置（Ｙ）は、下記数式１６により決定することができる。
（数式１５）Ｘ＝ｃｅｉｌ（［ｎｗ＋ｎｔ＋ｄ］／ｋ）、ｎ＝０〜ｎ
（数式１６）Ｙ＝ｃｅｉｌ（［ｍｗ＋ｍｔ＋（ｗ−Ｗ２−ｄ′）］／ｋ）、ｍ＝１〜ｍ
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｃｅｉｌ（ｘ）：ｘより小さくない最小の整数
【００６９】
数式１５及び数式１６に基づいて巻き取られた二次電池の電極組立体１００は、長さ方向の一側から巻き取られ、図３に示すように、一面の下側に第１電極タブ１１０が互いに重なり、一面の上側に第２電極タブ１２０が互いに重なる構造に巻き取られる。
【００７０】
また、第１電極板における第１電極タブが形成される開始位置（Ｘ）は、下記数式１７により決定することができ、第２電極板における第２電極タブが形成される開始位置（Ｙ）は、下記数式１８により決定することができる。
（数式１７）Ｘ＝ｆｌｏｏｒ（［ｎｗ＋ｎｔ＋ｄ］／ｋ）、ｎ＝ｎ〜０
（数式１８）Ｙ＝ｆｌｏｏｒ（［ｍｗ＋ｍｔ＋（ｗ−Ｗ２−ｄ′）］／ｋ）、ｍ＝ｍ〜１
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｆｌｏｏｒ（ｘ）：ｘより大きくない最大の整数
【００７１】
数式１７及び数式１８に基づいて巻き取られた二次電池の電極組立体１００は、長さ方向の他側から巻き取られ、図３に示すように、一面の下側に第１電極タブ１１０が互いに重なり、一面の上側に第２電極タブ１２０が互いに重なる構造に巻き取られる。
【００７２】
また、第１電極板における第１電極タブが形成される開始位置（Ｘ）は、下記数式１９により決定することができ、第２電極板における第２電極タブが形成される開始位置（Ｙ）は、下記数式２０により決定することができる。
（数式１９）Ｘ＝ｃｅｉｌ（［ｎｗ＋ｎｔ＋ｄ］／ｋ）、ｎ＝ｎ〜０
（数式２０）Ｙ＝ｃｅｉｌ（［ｍｗ＋ｍｔ＋（ｗ−Ｗ２−ｄ′）］／ｋ）、ｍ＝ｍ〜１
ｗ：二次電池の電極組立体の単位巻き取り幅
ｔ：二次電池の電極組立体を１回巻き取る時に積層される高さ
ｄ：第１電極板の開始位置から最初の第１電極タブが形成される開始位置までの距離
ｄ′：二次電池の電極組立体を最初に巻き取る時、最初の積層面の開始位置から最初の第２電極タブが形成される最後の位置までの距離
Ｗ２：第２電極タブの幅
ｎ、ｍ：巻き取り回数
ｋ＝２〜５の整数
ｃｅｉｌ（ｘ）：ｘより小さくない最小の整数
【００７３】
数式１９及び数式２０に基づいて巻き取られた二次電池の電極組立体１００は、長さ方向の他側から巻き取られ、図３に示すように、一面の下側に第１電極タブ１１０が互いに重なり、一面の上側に第２電極タブ１２０が互いに重なる構造に巻き取られる。
【００７４】
このとき、数式１３及び数式１４、数式１５及び数式１６、数式１７及び数式１８、または数式１９及び数式２０に基づいて巻き取られた二次電池の電極組立体は、いずれもＸとＹの値が両方とも整数であるため、寸法を合わせることが容易である。
【００７５】
<実施例４>
【００７６】
本発明の実施例４による二次電池の電極組立体において、第１電極タブと第２電極タブとは、互いに異なる面上で反対方向に一定間隔で離隔されるように配置することができ、より詳しくは、第１電極タブは、第１面の一側、第３面の一側、第５面の一側、・・・というように配置し、第２電極タブは、第２面の他側、第４面の他側、・・・というように配置することができる。
【００７７】
このとき、数式１１及び数式１２に基づいて巻き取られた二次電池の電極組立体１００は、長さ方向の一側から巻き取られ、図４に示すように、一面の上側に第１電極タブ１１０が互いに重なり、他面の下側に第２電極タブ１２０が互いに重なる構造に巻き取られる。
【００７８】
ただし、数式１１及び数式１２に基づいて巻き取られた二次電池の電極組立体は、ＸとＹの値が両方とも小数点以下の数値（１未満の数値）に減少することがある。
【００７９】
また、数式１３及び数式１４に基づいて巻き取られた二次電池の電極組立体１００は、長さ方向の一側から巻き取られ、図４に示すように、一面の上側に第１電極タブ１１０が互いに重なり、他面の下側に第２電極タブ１２０が互いに重なる構造に巻き取られる。
【００８０】
また、数式１５及び数式１６に基づいて巻き取られた二次電池の電極組立体１００は、長さ方向の一側から巻き取られ、図４に示すように、一面の上側に第１電極タブ１１０が互いに重なり、他面の下側に第２電極タブ１２０が互いに重なる構造に巻き取られる。
【００８１】
また、数式１７及び数式１８に基づいて巻き取られた二次電池の電極組立体は二次電池の電極組立体１００は、長さ方向の他側から巻き取られ、図４に示すように、一面の上側に第１電極タブ１１０が互いに重なり、他面の下側に第２電極タブ１２０が互いに重なる構造に巻き取られる。
【００８２】
また、数式１９及び数式２０に基づいて巻き取られた二次電池の電極組立体は二次電池の電極組立体１００は、長さ方向の他側から巻き取られ、図４に示すように、一面の上側に第１電極タブ１１０が互いに重なり、他面の下側に第２電極タブ１２０が互いに重なる構造に巻き取られる。
【００８３】
このとき、数式１３及び数式１４、数式１５及び数式１６、数式１７及び数式１８、または数式１９及び数式２０に基づいて巻き取られた二次電池の電極組立体は、いずれもＸとＹの値が両方とも整数であるため、寸法を合わせることが容易である。
【００８４】
これによって、本発明の各実施例による二次電池の電極組立体は、第１電極タブと第２電極タブを各々所望の位置に容易に積層できる効果がある。
【００８５】
本発明は、前記実施例に限定されるものではなく、適用範囲が多様であることはもちろんであり、請求範囲で請求する本発明の要旨を外れない限り多様な変形実施が可能であることはもちろんである。
【符号の説明】
【００８６】
１００  本発明の実施例による二次電池の電極組立体
１１０  第１電極タブ
１２０  第２電極タブ
【図１】
2014203830.tif 000003
【図２】
2014203830.tif 000004
【図３】
2014203830.tif 000005
【図４】
2014203830.tif 000006